(57)【特許請求の範囲】
【請求項１】
上部に入口部（１１）が形成された外部容器（１０）と、
前記外部容器（１０）の内側に挿入され、内部に化粧料が収容される内部容器（２０）と、
前記内部容器（２０）の上端部に嵌められて固定結合され、ポンプ取付孔（４１）が片側に偏って形成された第１結合体（４０）と、
前記第１結合体（４０）の上部に固定結合され、ポンプ貫通孔（５１）が片側に偏って形成された第２結合体（５０）と、
前記第１結合体（４０）のポンプ取付孔（４１）と第２結合体（５０）のポンプ貫通孔（５１）に貫通して設置され、化粧料をポンピングするポンプ（６０）と、
前記ポンプ（６０）の上部に回転可能に結合されて第２結合体（５０）の上部に露出し、一側に吐出口（７１）が形成された押し部材（７０）と、
前記第２結合体（５０）の上部に回動自在に結合され、一側に吐出口出没孔（８１）が形成された蓋（８０）と、を含んでなり、
前記第２結合体（５０）の上部に回転可能に結合される開閉部材（９０）がさらに形成され、前記開閉部材（９０）の側面上側には、前記蓋（８０）の吐出口出没孔（８１）を開閉する引き戸（９１）が延長形成されることを特徴とする、ポンプの吐出口が出没する化粧品容器。
【請求項２】
上部に入口部（１１）が形成された外部容器（１０）と、
前記外部容器（１０）の内側に挿入され、内部に化粧料が収容される内部容器（２０）と、
前記内部容器（２０）の上部に固定結合され、ポンプ取付用貫通孔（４１、５１）が片側に偏って形成された結合体（４０、５０）と、
ポンプ取付用貫通孔（４１、５１）に貫通して設置され、化粧料をポンピングするポンプ（６０）と、
前記ポンプ（６０）の上部に回転可能に結合されて結合体（５０）の上部に露出し、一側に吐出口（７１）が形成された押し部材（７０）と、
前記結合体（５０）の上部に回動自在に結合され、一側に吐出口出没孔（８１）が形成された蓋（８０）と、を含んでなり、
前記結合体（５０）の上部に回転可能に結合される開閉部材（９０）がさらに形成され、前記開閉部材（９０）の側面上側には、前記蓋（８０）の吐出口出没孔（８１）を開閉する引き戸（９１）が延長形成されることを特徴とする、ポンプの吐出口が出没する化粧品容器。
【請求項３】
前記開閉部材（９０）には、その側面下端に係止突起部（９２）が形成され、前記係止突起部（９２）に隣接してストッパー（９３）が形成されることを特徴とする、請求項１又は２に記載のポンプの吐出口が出没する化粧品容器。
【請求項４】
開閉部材（９０）の側面下端に、弾力的に上下移動可能な係止突起部（９２）が形成され、
前記係止突起部（９２）に噛み合わせるように、結合体（５０）の外周縁には係止凹部（５２）が形成され、前記係止凹部（５２）に隣接して係止段部（５３）が形成されることを特徴とする、請求項１又は２に記載のポンプの吐出口が出没する化粧品容器。
【請求項５】
結合体（５０）の上部には第１押され防止部（５４）が形成され、前記押し部材（７０）の吐出口（７１）の下側には第２押され防止部（７４）が形成され、
第１押され防止部（５４）及び第２押され防止部（７４）はいずれも、垂直方向に延長する板状小片であり、互いに直交する方向に延長していることを特徴とする、請求項１又は２に記載のポンプの吐出口が出没する化粧品容器。
【発明の詳細な説明】
【技術分野】
【０００１】
本考案は、ポンプの吐出口が出没する化粧品容器に係る。さらに詳しくは、円筒状の外部容器内に内部容器を内蔵するのであるが、ポンプ取付孔が片側に偏って形成された第１結合体が、内部容器の上部に固定結合され、ポンプ貫通孔が片側に偏って形成された第２結合体が、前記第１結合体の上部に固定結合されており、前記第２結合体のポンプ貫通孔及び第１結合体のポンプ取付孔を貫通するようにポンプを設置し、前記第２結合体のポンプ貫通孔の上部に押し部材が露出するようにしており、前記第２結合体の上部に蓋を回動自在に結合したものであって、前記蓋を掴んで、外部容器を時計回りに１８０度回転させると、前記押し部材が回動することで押し部材の吐出口が吐出口出没孔の外に突出し、反時計回りに１８０度回転させると、前記押し部材の吐出口が吐出口出没孔内に引き込まれるようになるものであり、化粧品を使用する場合には、前記吐出口を蓋の外部に突出させて使用し、化粧品を使用しない場合には、前記吐出口が蓋の内部に引き込まれるようにするということにより、吐出口の汚染を防止するようにすることができる、ポンプの吐出口が出没する化粧品容器に関する。
【０００２】
また、前記第２結合体の上部に開閉部材を結合し、前記開閉部材の上部に吐出口出没孔が形成された蓋を回転可能に結合するのであるが、前記蓋を掴んで、第２結合体に固定結合された外部容器を反時計回りに１８０度回転させると、前記開閉部材に形成された引き戸が回動することで吐出口出没孔を遮断し、時計回りに１８０度回転させると、前記引き戸が回動することで前記吐出口出没孔を開放するということにより、吐出口の汚染を防止するようにすることができる、ポンプの吐出口が出没する化粧品容器に関する。
【背景技術】
【０００３】
化粧品は、人体を清潔美化して魅力を増し、容姿を明るく変化させるか、或いは皮膚または毛髪の健康を維持または増進するために人体に使用される物品をいう。
【０００４】
前記化粧品を使用目的によって分類すると、皮膚表面の皮脂、老廃物および汚染物質を除去するために使用される洗顔化粧品と、皮膚に水分と油分を適切に供給するために使用される基礎化粧品と、美しい色味を表現するために使用される色合い化粧品と、毛髪または頭皮の異物を除去し且つ毛髪を保護し且つ栄養を供給するために使用される毛髪化粧品と、香料をアルコールなどに溶かして他人に香りを放つために使用される香水などに分類される。
【０００５】
前記化粧品が開発されることにより、化粧料を入れることができる様々な化粧品容器の開発も必要とされた。
【０００６】
一般に、化粧品の中でも例えばローション、クリーム、ジェル、シャンプー、リンスなどの液状、ゲル状の化粧料を保管して使用するために、従来では、単に開閉機能を持っている容器を使用することにより、化粧料を取って皮膚に塗布して使用した。
【０００７】
しかしながら、前記従来の化粧品容器は、吐出される化粧料の量を調節することができず、化粧料を浪費するという問題点があった。
【０００８】
かかる問題点を解決するために、図１に示すように、韓国登録実用新案第２０−０３７２８９１号に開示されている、ポンプを備えたディップチューブ（dip tube）化粧品容器を提案した。この化粧品容器は、化粧料を使用するときにポンプを介して定量吐出が可能であり、化粧料が外部に露出しないようにして化粧料の汚染を防止することができるようにした。
【０００９】
しかし、前記従来技術は、吐出口が常に開放されており、吐出口の入口を介して空気や各種の異物が流入して、吐出口内に残存する化粧品が酸化して変質したり、入口側の化粧品が硬く固まったりするという問題点が生じた。
【００１０】
かかる問題点を解決するために、ポンプ容器上の吐出口の周辺に蓋を結合した。これは、使用の際に前記蓋を開閉しなければならない煩わしさがあるうえ、蓋を紛失するおそれがある。また、前記吐出口に蓋を設置して前記吐出口を遮断するときには、前記蓋が吐出口の周辺にヒンジ設置されたものであって、蓋を繰り返し開閉するとヒンジ部が破損してしまうという問題点があった。
【００１１】
かかる問題点を解決するために、図２に示すように、韓国登録特許第２０−０４２１１６４号に開示されている、吐出口の遮断が可能な排出ポンプを提案した。これは、化粧品を排出使用しない場合には、排出ポンプの吐出口を栓部材で遮断して、吐出口に存在する化粧品が空気と接触して、変質したり固まったりするのを防止することができるようにしたのである。
【００１２】
ところが、前記従来技術では、ポンプ容器内の化粧品を排出使用するために、吐出口を遮断した引き戸方式の栓部材を手動的に左、右方向にスライドして開閉しなければならないという煩わしさがあり、非使用中には不本意に押し部材が押されて前記化粧品が吐出されるという、不便な問題点があった。
【００１３】
かかる問題点を解決するために、図３に示すように、韓国登録特許第２０−０４２５５８４号に開示されている、化粧品容器の蓋回転式栓部材開閉装置を提案した。これは、吐出口保護用キャップの回転に応じて自動的に栓部材が開閉されるようにして、使用上の煩わしさをなくし、吐出口部位への汚染を防止し、誤作動によるポンプ容器の化粧品排出を防止することができるようにしたのである。
【００１４】
しかし、前記従来技術では、吐出口がポンプ容器の蓋の外部に露出せず、前記蓋内に位置したままで化粧品を排出する。そのため、化粧品を使用するためにはポンプ容器を傾けて使用しなければならないという煩わしさがあり、しばしば、前記化粧品が蓋の内部に落ちて蓋の内部が汚染してしまうという問題点があった。
【発明の概要】
【発明が解決しようとする課題】
【００１５】
本考案は、かかる問題点を解決するために案出されたものであり、本考案のポンプの吐出口が出没する化粧品容器は、円筒状の外部容器内に内部容器を内蔵するのであるが、ポンプ取付孔が片側に偏って形成された第１結合体が内部容器の上部に固定結合され、ポンプ貫通孔が片側に偏って形成された第２結合体が前記第１結合体の上部に固定結合されており、前記第２結合体のポンプ貫通孔及び第１結合体のポンプ取付孔を貫通するようにポンプを設置し、前記第２結合体のポンプ貫通孔の上部に押し部材が露出するようにしており、前記第２結合体の上部に蓋を回動自在に結合したものであって、前記蓋を掴んで外部容器を時計回りに１８０度回転させると、前記押し部材が回動することで押し部材の吐出口が吐出口出没孔の外に突出し、反時計回りに１８０度回転させると、前記押し部材の吐出口が吐出口出没孔内に引き込まれるようになり、化粧品を使用する場合には、前記吐出口を蓋の外部に突出させて使用し、化粧品を使用しない場合には前記吐出口が蓋の内部に引き込まれるようにするということにより、吐出口の汚染を防止するようにすることができる、ポンプの吐出口が出没する化粧品容器を提供することを目的とする。
【００１６】
また、前記第２結合体の上部に開閉部材を結合し、前記開閉部材の上部に吐出口出没孔が形成された蓋を回転可能に結合するのであるが、前記蓋を掴んで第２結合体に固定結合された外部容器を反時計回りに１８０度回転させると、前記開閉部材に形成された引き戸が回動することで吐出口出没孔を遮断し、時計回りに１８０度回転させると、前記引き戸が回動することで前記吐出口出没孔を開放するということにより、吐出口の汚染を防止するようにすることができる、ポンプの吐出口が出没する化粧品容器を提供することを目的とする。
【００１７】
また、第２結合体の外周面には係止凹部が形成され、前記第２結合体の上部に結合された開閉部材の下端には係止突起が形成されることにより、蓋を掴んで、第２結合体と固定結合された外部容器を時計回りに回転させると、前記係止突起部が係止段部を乗り越えて係止凹部から解除され、再び蓋を掴んで外部容器を反時計回りに回転させると、前記係止突起が係止段部を乗り越えて係止凹部内に締結され、カチッという音および手の感覚で吐出口出没孔の遮断状態を確認することができる、ポンプの吐出口が出没する化粧品容器を提供することを目的とする。
【００１８】
また、前記第２結合体の上部に第１押され防止部が形成され、前記押し部材の吐出口の下側に第２押され防止部が形成されることにより、吐出口出没孔が遮断された状態では第２結合体の第１押され防止部と押し部材の第２押され防止部とが当接するため、ポンプの押し部材が誤動作により押されて化粧品が出てくるのを防止することができる、ポンプの吐出口が出没する化粧品容器を提供することを目的とする。
【課題を解決するための手段】
【００１９】
本考案は、上部に入口部１１が形成された外部容器１０と、前記外部容器１０の内側に挿入され、内部に化粧料が収容される内部容器２０と、前記内部容器２０の内部下側に挿入され、化粧料を押し上げる押し板３０と、前記内部容器２０の上部に固定結合され、ポンプ取付孔４１が片側に偏って形成された第１結合体４０と、前記第１結合体４０の上部に固定結合され、ポンプ貫通孔５１が片側に偏って形成された第２結合体５０と、前記第１結合体４０のポンプ取付孔４１及び第２結合体５０のポンプ貫通孔５１に貫通して設置され、化粧料をポンピングするポンプ６０と、前記ポンプ６０の上部に回転可能に結合されて第２結合体５０の上部に露出し、一側に吐出口７１が形成された押し部材７０と、前記第２結合体５０の上部に回動自在に結合され、一側に吐出口出没孔８１が形成された蓋８０と、を含んでなることを特徴とする、ポンプの吐出口が出没する化粧品容器を提供する。
【００２０】
また、前記第２結合体５０の上部に回転可能に結合される開閉部材９０がさらに形成されるが、前記開閉部材９０の側面上側には、前記蓋８０の吐出口出没孔８１を開閉する引き戸９１が延長形成されることを特徴とする。
【００２１】
また、前記第２結合体５０の外周縁に係止凹部５２が形成され、前記係止凹部５２に隣接して係止段部５３が形成され、前記開閉部材９０の側面下端に係止突起部９２が形成され、前記係止突起部９２に隣接してストッパー９３が形成されることを特徴とする。
【００２２】
また、前記開閉部材９０の係止突起部９２の上側には、前記係止突起部９２が弾力的に上下移動するように弾性用抜き部（cut out）９６が形成されることを特徴とする。
【００２３】
また、前記第２結合体５０の上部には第１押され防止部５４が形成され、前記押し部材７０の吐出口７１の下側には第２押され防止部７４が形成されることを特徴とする。
【００２４】
また、前記蓋８０は、一側に吐出口出没孔８１が形成された外壁８２と、前記外壁８２の内側に一定間隔離隔して形成された内壁８３とから構成されるが、前記内壁８３には、キャップガイド凹部８３１と吐出口貫通溝８３２が形成され、前記内壁８３の下端には、前記第２結合体５０と回転可能に結合される回転リング状突起８３３が内側に延長形成されることを特徴とする。
【００２５】
また、前記蓋８０の上部内側には、上下移動しながら前記押し部材７０を加圧する蓋キャップ１００がさらに形成されることを特徴とする。
【発明の効果】
【００２６】
本考案に係るポンプの吐出口が出没する化粧品容器は、円筒状の外部容器内に内部容器を内蔵するのであるが、ポンプ取付孔が片側に偏って形成された第１結合体が、内部容器の上部に固定結合され、ポンプ貫通孔が片側に偏って形成された第２結合体が、前記第１結合体の上部に固定結合されており、前記第２結合体のポンプ貫通孔及び第１結合体のポンプ取付孔を貫通するようにポンプを設置し、前記第２結合体のポンプ貫通孔の上部に押し部材が露出するようにしており、前記第２結合体の上部に蓋を回動自在に結合したものであって、前記蓋を掴んで、外部容器を時計回りに１８０度回転させると、前記押し部材が回動しながら押し部材の吐出口が吐出口出没孔の外に突出し、反時計回りに１８０度回転することで、前記押し部材の吐出口が吐出口出没孔内に引き込まれるようになるものであり、化粧品を使用する場合には、前記吐出口を蓋の外部に突出させて使用し、化粧品を使用しない場合には、前記吐出口が蓋の内部に引き込まれるようにすることにより、吐出口の汚染を防止するようにすることができるという効果がある。
【００２７】
また、前記第２結合体の上部に開閉部材を結合し、前記開閉部材の上部に吐出口出没孔が形成された蓋を回転可能に結合するのであるが、前記蓋を掴んで、第２結合体と固定結合された外部容器を反時計回りに１８０度回転させると、前記開閉部材に形成された引き戸が回動することで吐出口出没孔を遮断し、時計回りに１８０度回転させると、前記引き戸が回動することで前記吐出口出没孔を開放するということにより、吐出口の汚染を防止するようにすることができるという効果がある。
【００２８】
また、第２結合体の外周面には係止凹部が形成され、前記第２結合体の上部に結合された開閉部材の下端には係止突起が形成されることにより、蓋を掴んで第２結合体と固定結合された外部容器を時計回りに回転させると、前記係止突起部が係止段部を乗り越えて係止凹部から解除され、再び蓋を掴んで外部容器を反時計回りに回転させると、前記係止突起が係止段部を乗り越えて係止凹部内に締結されるのであり、カチッという音および手の感覚で、吐出口出没孔の遮断状態を確認することができるという効果がある。また、前記第２結合体の上部に第１押され防止部が形成され、前記押し部材の吐出口の下側に第２押され防止部が形成されるということにより、吐出口出没孔が遮断された状態では、第２結合体の第１押され防止部と、押し部材の第２押され防止部とが当接するため、ポンプの押し部材が誤動作により押されて化粧品が出てくるのを防止することができるという効果がある。
【図面の簡単な説明】
【００２９】
【図１】従来のポンプを備えたディップチューブ化粧品容器を示す図である。
【図２】従来の、吐出口の遮断が可能な排出ポンプを示す図である。
【図３】従来の化粧品容器における、蓋回転式の栓部材開閉装置を示す図である。
【図４】本考案に係る、ポンプの吐出口が出没する化粧品容器の斜視図である。
【図５】本考案に係る、ポンプの吐出口が出没する化粧品容器の断面図である。
【図６】本考案に係る、ポンプの吐出口が出没する化粧品容器の分解斜視図である。
【図７】本考案に係る、ポンプの吐出口が出没する化粧品容器における吐出口が外部へ突出する様子を示す断面図である。
【図８】本考案に係る、ポンプの吐出口が出没する化粧品容器における押し部材が回転することで、押し部材の吐出口が吐出口出没孔の外に突出する様子を示す平面図である。
【図９】本考案に係るポンプの吐出口が出没する化粧品容器における、外部容器が回転することにより、開閉部材の係止突起部が、外部容器の係止段部を乗り越える様子を示す部分断面図である。
【図１０】本考案に係るポンプの吐出口が出没する化粧品容器の蓋キャップを加圧して、ポンプの内部に一時収容された化粧料が外部へ排出される様子を示す断面図である。
【図１１】本考案に係るポンプの吐出口が出没する化粧品容器の蓋キャップの加圧を解除して、内部容器内に収容された化粧料がポンプの内部へ移動する様子を示す断面図である。
【発明を実施するための形態】
【００３０】
以下、本考案に係るポンプの吐出口が出没する化粧品容器の一実施例を、添付図面を参照して説明する。
【００３１】
図４は本考案に係るポンプの吐出口が出没する化粧品容器の斜視図、図５は本考案に係るポンプの吐出口が出没する化粧品容器の断面図、図６は本考案に係るポンプの吐出口が出没する化粧品容器の分解斜視図、図７は本考案に係るポンプの吐出口が出没する化粧品容器の吐出口が外部に突出する様子を示す断面図、図８は本考案に係るポンプの吐出口が出没する化粧品容器の押し部材が回転しながら押し部材の吐出口が吐出口出没孔の外に突出する様子を示す平面図、図９は本考案に係るポンプの吐出口が出没する化粧品容器の外部容器が回転することにより、開閉部材の係止突起部が外部容器の係止段部を乗り越える様子を示す部分断面図、図１０は本考案に係るポンプの吐出口が出没する化粧品容器の蓋キャップを加圧して、ポンプの内部に一時収容された化粧料が外部へ排出される様子を示す断面図、図１１は本考案に係るポンプの吐出口が出没する化粧品容器の蓋キャップの加圧を解除して、内部容器内に収容された化粧料がポンプの内部へ移動する様子を示す断面図である。
【００３２】
本考案に係るポンプの吐出口が出没する化粧品容器は、(i)上部に入口部１１が形成された外部容器１０と、(ii)前記外部容器１０の内側に挿入され、内部に化粧料が収容される内部容器２０と、(iii)前記内部容器２０の内部下側に挿入され、化粧料を押し上げる押し板３０と、(iv)前記内部容器２０の上部に固定結合され、ポンプ取付孔４１が片側に偏って形成された第１結合体４０と、(v)前記第１結合体４０の上部に固定結合され、ポンプ貫通孔５１が片側に偏って形成された第２結合体５０と、(vi)前記第１結合体４０のポンプ取付孔４１と、第２結合体５０のポンプ貫通孔５１とに貫通して設置され、化粧料をポンピングするポンプ６０と、(vii)前記ポンプ６０の上部に回転可能に結合されて第２結合体５０の上部に露出し、一側に吐出口７１が形成された押し部材７０と、(viii)前記第２結合体５０の上部に回動自在に結合され、一側に吐出口出没孔８１が形成された蓋８０と、を含んで構成されることを特徴とする。
【００３３】
前記外部容器１０は、円筒状をし、上部に入口部１１が形成され、前記入口部１１の外周縁には結合リング状突起１２が形成されて第２結合体５０と固定結合される。
【００３４】
前記内部容器２０は、外部容器１０の内側に挿入され、内部に化粧料が収容される。
【００３５】
前記内部容器２０の内周縁上側には、装着溝２２が形成されており、内部容器２０の下端には、外部空気の流入する空気流入孔２１が形成される。
【００３６】
前記内部容器２０の内部下側には、ポンピングによって外部へ吐出される化粧料の吐出量だけ、上部へ移動する押し板３０が挿入される。
【００３７】
前記第１結合体４０は、内部容器２０の上部に固定結合される。また、第１結合体４０の下部は、内部容器２０の上側に挿入される。
【００３８】
前記第１結合体４０には、ポンプ６０が設置されるポンプ取付孔４１が、片側に偏って形成される。
【００３９】
前記第１結合体４０において、外周縁の上端には、一対の締結突起４２が外側に突出形成されて第２結合体５０と結合されており、下側外周縁には、装着リング状突起４３が形成されて内部容器２０の装着溝２２に結合される。
【００４０】
また、前記第１結合体４０は、外周縁に段差４４が形成されて、内部容器２０の上端に据え付けられる。
【００４１】
前記第２結合体５０は、第１結合体４０の上部に固定結合されるとともに、外部容器１０の入口部１１の外側に結合されており、ポンプ６０が貫通するポンプ貫通孔５１が、片側に偏って形成される。
【００４２】
前記第２結合体５０の下部には、外側下部延長リング状突起５６と、該外側下部延長リング状突起５６の内側に一定間隔離隔して形成された内側下部延長リング状突起５７とが備えられる。前記外側下部延長リング状突起５６は内周縁に結合溝５６１が形成されて前記外部容器１０の結合リング状突起１２と結合され、前記内側下部延長リング状突起５７は第１結合体４０の上部内側に挿入される。
【００４３】
前記第２結合体５０の外側には、前記第１結合体４０の締結突起４２に結合される一対の締結穴５８が形成される。
【００４４】
また、前記第２結合体５０の外側には、前記蓋８０と開閉部材９０が回転可能に結合される回転環状溝５９が形成され、前記回転環状溝５９の上部一側には、回転突起挿入凹部５９１が形成される。
【００４５】
前記回転環状溝５９は、回転突起回転部５９２と、回転突起制限部５９３とから構成されるが、前記回転突起回転部５９２は、回転突起挿入凹部５９１から反時計回りに１８０度まで形成され、前記回転突起回転部５９２の溝の深さは、回転突起制限部５９３の溝の深さよりもさらに深く形成される。これにより、前記回転突起回転部５９２の両端部には回転制限段部５９４が形成される。
【００４６】
前記第２結合体５０の外周縁に係止凹部５２が形成され、前記係止凹部５２に隣接して係止段部５３が形成される。
【００４７】
前記第２結合体５０の上部には、押し部材７０が誤作動して押されることを防止する第１押され防止部５４と、蓋キャップ１００が誤作動して押されることを防止する第１キャップ押され防止部５５とが形成される。
【００４８】
前記ポンプ６０は、第１結合体４０のポンプ取付孔４１と、第２結合体５０のポンプ貫通孔５１とに貫通して設置され、内部容器２０の内部に収容された化粧料を、ポンピングして外部へ吐出させる役目をする。
【００４９】
前記ポンプ６０は、第１結合体４０のポンプ取付孔４１の内側に据え付けられ、(i)内容物吸引孔６８が形成されたシリンダー６１と、(ii)前記内容物吸引孔６８を選択的に開閉するチェックバルブ６２と、(iii)前記シリンダー６１の上部に結合され、シリンダー６１の内部を密閉させる密閉部材６３と、(iv)前記シリンダー６１の内側に形成されるピストン６４と、(v)前記ピストン６４の外側に嵌められ、シリンダー６１の内側面に密着するピストンリング６５と、(vi)前記ピストン６４の上部に結合される上下移動部材６６と、(vii)前記上下移動部材６６を弾力支持する弾性部材６７とから構成される。
【００５０】
また、前記ポンプ６０のシリンダー６１と、第１結合体４０のポンプ取付孔４１との間には、内部容器２０内の密閉力を向上させるために、密閉リング６９がさらに形成されてもよい。
【００５１】
前記押し部材７０は、ポンプ６０の上下移動部材６６の上部に回転可能に結合されて、前記第２結合体５０の上部に露出し、一側にはポンピングされる化粧料が吐出される吐出口７１が形成されている。
【００５２】
前記押し部材７０の吐出口７１の下側には、第２押され防止部７４が形成されることにより、押し部材７０が誤作動して押されることを防止する。
【００５３】
すなわち、前記押し部材７０の吐出口７１が、蓋８０の内側に挿入された場合には、押し部材７０における第２押され防止部７４の下端が、第２結合体５０の第１押され防止部５４の上端に当接して、前記押し部材７０が下方に押されなくなる。また、ユーザーが、外部容器１０を時計回りに回転させて、押し部材７０の吐出口７１が外部に突出した場合には、前記外部容器１０と一緒に、押し部材７０の第２押され防止部７４が回転移動して、第２結合体５０の第１押され防止部５４の上端に当接しなくなるので、前記押し部材７０が加圧されるのである。
【００５４】
前記蓋８０は、第２結合体５０の上部に回動自在に結合され、一側には、前記押し部材７０の吐出口７１が挿入されるか、或いは突出する、吐出口出没孔８１が形成される。
【００５５】
前記蓋８０は、一側に吐出口出没孔８１が形成された外壁８２と、前記外壁８２の内側に、一定間隔離隔して形成された内壁８３とから構成される。前記内壁８３には、キャップガイド凹部８３１と、吐出口貫通穴８３２とが形成される。
【００５６】
前記内壁８３の吐出口貫通穴８３２は、外壁８２に形成された、吐出口出没孔８１に対応する位置に形成される。
【００５７】
前記蓋８０の内壁８３の下端からは、回転リング状突起８３３が内側に延長形成され、前記回転リング状突起８３３の一側には、回転突起８３４が、内側にさらに突出して形成される。前記回転突起８３４は、第２結合体５０の回転突起挿入凹部５９１を通じて、回転環状溝５９の回転突起回転部５９２内に挿入されて、時計または反時計回りに１８０度回転する。
【００５８】
すなわち、前記回転突起８３４は、第２結合体５０の回転突起回転部５９２内で１８０度まで回転したとき、前記回転突起回転部５９２の両端部に形成された回転制限段部５９４に係止されて回転が制限されるのである。
【００５９】
前記第２結合体５０の上部には、第２結合体５０に回転可能に結合される開閉部材９０が、さらに形成される。
【００６０】
前記開閉部材９０の内周縁には、開閉部材回転リング状突起９４が内側に突出形成される。前記開閉部材回転リング状突起９４は、蓋８０の回転リング状突起８３３とともに、第２結合体５０の回転環状溝５９内に挿入される。
【００６１】
前記開閉部材９０の側面上側には、引き戸９１が延長形成される。前記開閉部材９０の引き戸９１は、蓋８０の外壁８２と内壁８３との間にて、回転しながら前記吐出口出没孔８１を開放または閉鎖する。
【００６２】
前記引き戸９１の下部内周縁に、開閉突起９５が形成されており、蓋８０とともに第２結合体５０に組み付けられる際、前記蓋８０の内壁８３に形成された吐出口貫通穴８３２の下側に位置するようになる。
【００６３】
前記開閉部材９０の側面下端に、係止突起部９２が形成されており、前記係止突起部９２に隣接して、ストッパー９３が形成される。
【００６４】
前記開閉部材９０の係止突起部９２の上側には、前記係止突起部９２が弾力的に上下移動するように、弾性用抜き部９６が形成される。
【００６５】
すなわち、ユーザーが、蓋８０を掴んで、第２結合体５０に固定結合された外部容器１０を時計回りに回転させると、前記第２結合体５０の係止凹部５２に開閉部材９０の係止突起部９２が挿入されているので、開閉部材９０も一緒に回転する。このようにして、前記開閉部材９０の引き戸９１が、蓋８０の吐出口出没孔８１を開放する。前記外部容器１０をさらに回転させると、開閉部材９０の開閉突起９５が、蓋８０の吐出口貫通穴８３２の外側面に当接して回転が停止し、前記開閉部材９０の係止突起部９２が、第２結合体５０の係止段部５３を乗り越える。
【００６６】
その後、第２結合体５０に固定結合された外部容器１０を、時計回りに回転させ続けると、前記第２結合体５０の片側に偏って設置されたポンプ６０及び該ポンプ６０の上部に回転可能に結合された押し部材７０が、図８に示すように１８０度回転して反対側に偏ることにより、前記押し部材７０の吐出口７１が蓋８０の吐出口出没孔８１を介して外部へ突出するのである。
【００６７】
また、再び蓋８０を掴んで、第２結合体５０と固定結合された外部容器１０を、反時計方向に回転させると、前記開閉部材９０の係止突起部９２が、第２結合体５０の係止段部５３に係止されて、開閉部材９０が第２結合体５０と一緒に回転する。このようにして、前記開閉部材９０の引き戸９１が、回転して、蓋８０の吐出口出没孔８１を閉鎖する。前記外部容器１０をさらに回転させると、開閉部材９０の係止突起部９２が、第２結合体５０の係止段部５３を乗り越えて係止凹部５２内に締結される。そのため、カチッという音及び手の感覚で、吐出口出没孔８１の遮断状態を確認することができる。
【００６８】
前記蓋８０の上部内側には、上下移動することで前記押し部材７０を加圧する蓋キャップ１００が、さらに形成される。
【００６９】
前記蓋キャップ１００の外側には、蓋８０のキャップガイド凹部８３１に結合されて、前記蓋キャップ１００の上下移動を案内する、上下ガイド突起１０１が形成されている。そして、蓋キャップ１００が誤作動により押されることを防止するために、第２キャップ押され防止部１０２が下方に延長形成される。
【００７０】
すなわち、前記押し部材７０の吐出口７１が、蓋８０の内側に挿入されたときには、蓋キャップ１００の第２押され防止部１０２の下端が、第２結合体５０の第１キャップ押され防止部５５の上端に当接する。そのため、前記蓋キャップ１００が下方に押されなくなる。ユーザーが、外部容器１０を時計回りに回転させて、押し部材７０の吐出口７１が外部へ突出したときには、前記外部容器１０と一緒に、第２結合体５０の第１キャップ押され防止部５５が、回転移動する。このようにして、蓋キャップ１００の第２キャップ押され防止部１０２の下端に、当接しなくなる。そのため、前記蓋キャップ１００が加圧されるのである。
【００７１】
次に、本考案の一実施形態に係るポンプの吐出口が出没する化粧品容器の組立方法および使用状態を詳細に説明する。
【００７２】
本考案のポンプの吐出口が出没する化粧品容器を組み立てるために、図５および図６に示すように、まず、内部容器２０の内側に押板３０を挿入し、化粧料を収容した後、前記内部容器２０を、外部容器１０の内側に挿入する。
【００７３】
次に、第１結合体４０を内部容器２０の上端内側に挿入して固定結合させ、前記第１結合体４０のポンプ取付孔４１にポンプ６０を設置する。この後、第１結合体４０の上部に第２結合体５０を結合する。この際、前記第１結合体４０の締結突起４２が、第２結合体５０の締結穴５８に結合されるようにし、前記第２結合体５０の内側下部延長リング状突起５７が、第１結合体４０の上部内側に挿入されるようにする。また、第２結合体５０の外側下部延長リング状突起５６が、外部容器１０の入口部１１に固定結合されるようにする。
【００７４】
その後、前記ポンプ６０の上下移動部材６６の上部に、押し部材７０を回転可能に結合する。この際、前記押し部材７０の第２押され防止部７４が、第２結合体５０の第１押され防止部５４の上端に、当接するようにする。
【００７５】
また、前記第１結合体４０のポンプ取付孔４１と、ポンプ６０のシリンダー６１との間に、内部容器２０の密閉力を向上させるために、密閉リング６９を結合することができる。
【００７６】
次いで、上述のように組み立てられた第２結合体５０の上部に、開閉部材９０と蓋８０を回転可能に結合する。この際、前記第２結合体５０の回転環状溝５９に、開閉部材９０の開閉部材回転リング状突起９４と、蓋８０の回転リング状突起８３３とが、順次、嵌め込まれるようにする。
【００７７】
この際、前記開閉部材９０は、蓋８０の外壁８２と内壁８３との間に挿入され、前記開閉部材９０の引き戸９１は、蓋８０の吐出口出没孔８１と、吐出口貫通穴８３２との間に位置する。また、前記開閉部材９０の係止突起部９２は、第２結合体５０の係止凹部５２に挿入される。
【００７８】
最後に、前記蓋８０の上部内側に、蓋キャップ１００を結合させる。この際、前記蓋キャップ１００の上下ガイド突起１０１が、蓋８０のキャップガイド凹部８３１に結合されるようにする。また、前記蓋キャップ１００の第２キャップ押され防止部１０２が、第２結合体５０の第１キャップ押され防止部５５の上端に、当接するようにする。このようにして、本考案によるポンプの吐出口が出没する化粧品容器の組み立てを完了する。
【００７９】
前述のような方法で組み立てられたポンプの吐出口が出没する化粧品容器を使用するためには、まず、図７および図８に示すように、片手で蓋８０を掴み、他方の片手で外部容器１０を時計回りに１８０度回転させる。
【００８０】
ここで、前記外部容器１０が時計回りに回転すると、前記外部容器１０に固定結合された内部容器１０、第１結合体４０および第２結合体５０が、一緒に回転する。また、これと同時に、前記第１および第２結合体４０、５０の片側に偏って設置されたポンプ６０、及び、該ポンプ６０の上部に結合された押し部材７０も、一緒に回転する。
【００８１】
これにより、開閉部材９０の引き戸９１が回転することで、蓋８０の吐出口出没孔８１が開放される。また、図８の二番目のイラストレーションに示すように、前記蓋８０の吐出口出没孔８１を通じて、押し部材７０の吐出口７１が外部へ突出し始める。また、図８の四番目のイラストレーションに示すように、押し部材７０の吐出口７１が、蓋８０の吐出口出没孔８１から完全に出現する。このとき、前記押し部材７０と、蓋キャップ１００とは、加圧可能な状態に置かれる。
【００８２】
その後、図１０に示すように、前記蓋キャップ１００を加圧して、前記蓋キャップ１００の下部面に密着した押し部材７０を下方に移動させてポンプ６０をポンピングすることにより、吐出口７１から内容物を吐出させて使用する。
【００８３】
次に、前述のように吐出口７１が外部へ突出する作動状態をより詳細に説明する。
【００８４】
まず、図７および図８に示すように、前記蓋８０を掴んで、第２結合体５０が固定結合された外部容器１０を時計回りに回転させると、前記第２結合体５０の係止凹部５２に開閉部材９０の係止突起部９２が挿入されているので、前記開閉部材９０も一緒に回転することで、開閉部材９０の引き戸９１が、蓋８０の吐出口出没孔８１を開放する。また、前記外部容器１０をさらに回転させると、開閉部材９０の開閉突起９５が、蓋８０の吐出口貫通穴８３２の外側面に当接して回転が停止する。そして、図９に示すように、前記開閉部材９０の係止突起部９２が第２結合体５０の係止段部５３を乗り越える。
【００８５】
その後、前記外部容器１０をさらに回転させると、図８に示すように、第２結合体５０が回転する。これと同時に、前記第２結合体５０に設置されたポンプ６０、及び該ポンプ６０の上部に回転可能に結合された押し部材７０も、一緒に回転する。このようにして、前記押し部材７０の一側に形成された吐出口７１が、前方に徐々に前進して、蓋８０の吐出口出没孔８１を通じて外部へ突出する。
【００８６】
これと同時に、第２結合体５０の第１押され防止部５４が回転することで、前記押し部材７０の第２押され防止部７４と当接しなくなる。また、前記第２結合体５０の第１キャップ押され防止部５５が、回転することで、前記蓋キャップ１００の第２キャップ押され防止部１０２と当接しなくなり、前記押し部材７０と蓋キャップ１００とは加圧可能な状態に置かれる。
【００８７】
再び片手で蓋８０を掴み、他方の片手で外部容器１０を反時計回りに１８０度回転させると、前記外部容器１０に固定結合された内部容器１０、第１結合体４０および第２結合体５０が一緒に回転する。また、これと同時に、前記第１、第２結合体４０、５０の片側に偏って設置されたポンプ６０、及び、該ポンプ６０の上部に結合された押し部材７０も一緒に回転する。
【００８８】
これにより、前記押し部材７０の吐出口７１が、蓋８０の内側に挿入され、開閉部材９０の引き戸９１が、蓋８０の吐出口出没孔８１を閉鎖し、前記押し部材７０と蓋キャップ１００とが、加圧されない状態に置かれる。
【００８９】
次に、前述のように吐出口７１が、蓋８０の内側に挿入される作動状態を、より詳細に説明する。
【００９０】
まず、前記蓋８０を掴んで、第２結合体５０に固定結合された外部容器１０を、反時計方向に回転させる。すると、第２結合体５０が回転すると同時に、前記第２結合体５０に設置されたポンプ６０、及び、該ポンプ６０の上部に回転可能に結合された押し部材７０も、一緒に回転する。このようにして、前記押し部材７０の一側に形成された吐出口７１が、後方へと徐々に後退して、蓋８０の内側に挿入される。
【００９１】
その後、前記外部容器１０をさらに回転させると、開閉部材９０の係止突起部９２が、第２結合体５０の係止段部５３に係止されて、前記開閉部材９０が、第２結合体５０と一緒に回転する。このようにして、開閉部材９０の引き戸９１が回転して蓋８０の吐出口出没孔８１を閉鎖する。また、前記外部容器１０をさらに回転させると、開閉部材９０の係止突起部９２が、第２結合体５０の係止段部５３を乗り越えて係止凹部５２内に締結される。
【００９２】
これと同時に、第２結合体５０の第１押され防止部５４が、回転することで、前記押し部材７０の第２押され防止部７４の下端に当接する。また、前記第２結合体５０の第１キャップ押され防止部５５が、回転することで、前記蓋キャップ１００の第２キャップ押され防止部１０２の下端に当接する。このようにして、前記押し部材７０と、蓋キャップ１００とは、加圧されない状態に置かれる。
【００９３】
以上、本考案で説明したのは、ポンプ吐出口が出没する化粧品容器を実施するための一実施例に過ぎないものである。本考案は、これらの実施例に限定されるものではない。添付された請求の範囲で請求するように、本考案の要旨を逸脱することなく、本考案の属する分野における通常の知識を有する者であれば誰でも様々な変更実施が可能な範囲まで本考案の範囲に属するものと見做されるべきである。
【符号の説明】
【００９４】
１０    外部容器
２０    内部容器
３０    押し板
４０    第１結合体
４１    ポンプ取付孔
５０    第２結合体
５１    ポンプ貫通孔
５２    係止凹部
５３    係止段部
５４    第１押され防止部
５５    第１キャップ押され防止部
５９    回転環状溝
６０    ポンプ
６９    密閉リング
７０    押し部材
７１    吐出口
７２    第２押され防止部
８０    蓋
８１    吐出口出没孔
９０    開閉部材
９１    引き戸
９２    係止突起部
９３    ストッパー
９６    弾性用抜き部
１００    蓋キャップ
１０１    上下ガイド突起
１０２    第２キャップ押され防止部
【図１】
0006585194.tif 000002
【図２】
0006585194.tif 000003
【図３】
0006585194.tif 000004
【図４】
0006585194.tif 000005
【図５】
0006585194.tif 000006
【図６】
0006585194.tif 000007
【図７】
0006585194.tif 000008
【図８】
0006585194.tif 000009
【図９】
0006585194.tif 000010
【図１０】
0006585194.tif 000011
【図１１】
0006585194.tif 000012